(57)【特許請求の範囲】
【請求項１】
柔軟性の基材シート１の一面に粘着剤層２を形成し、該粘着剤層２の表面を剥離紙３で覆い、上記基材シート１の他面に該基材シートよりも剛性の高いアプリケーターシート４を仮着し、該アプリケーターシート４は上記基材シート１より外方へ突出するタブ５を有しており、該タブ５は上記基材シート１の上部６から弧を描いて内方に入る傾斜部７から、弧状部８を経て方向を変える反転部９より上記基材シートの上部６と実質的に並行状態となっている立上り部１０に続き、次いでその頂部１１から傾斜する斜部１２によって基材シート１の上縁部１５に至る凸状形状をしており、上記弧状部８が基材シート１の上部の隅部を形成している柔軟性貼付材。
【請求項２】
上記タブ５は、上記基材シート１の上部６において基材シート１の中央部を介して対向的に形成されていることを特徴とする請求項１記載の柔軟性貼付材。
【請求項３】
上記基材シート１の上部６において対向するタブ５の間に、中間タブを形成したことを特徴とする請求項２記載の柔軟性貼付材。
【請求項４】
上記タブ５は、上記基材シート１の上部と対称な基材シート１の下部にも形成されていることを特徴とする請求項１〜３のいずれかに記載の柔軟性貼付材。
【発明の詳細な説明】
【０００１】
【発明の属する技術分野】
本発明は、医療用、一般家庭用などとして患部を保護するために用いる柔軟性貼付材に関する。
【０００２】
【従来の技術】
医療用や家庭用として、患部を被覆して保護する為に柔軟性貼付材が用いられているが、この貼付材は、薄くて柔らかいシ−トの一面に粘着剤層を形成したものなので、粘着剤層を覆っている剥離紙を剥すと粘着剤同志が付着することも多く、患部に上手に貼付することが非常に難しい。
【０００３】
そこで、上記シ−トの粘着剤層とは反対面に剛性のあるアプリケ−タ−シ−トを仮着しておき、このアプリケ−タ−シ−トを仮着した状態でシ−トを患部に貼付けるようにすると、上手に貼付けることができるので、その後でアプリケ−タ−シ−トを剥がして取除くようにしている。
しかしながら、こうした貼付材は、種々の位置の患部に貼付けるものであり、特に腕や脚などのような回曲部などに貼付した場合にはアプリケ−タ−シ−トが剥し難いことが多かった。
【０００４】
【発明が解決しようとする課題】
そこで、発明者らは回曲部などの患部に矩形状の貼付材を貼付した場合に、どの様にしてアプリケ−タ−シ−トを剥がせば剥がし易いかについて種々検討したところ、貼付材の隅部から剥がすようにすると剥がし易いことが判った。そこで、貼付材の隅部に位置するアプリケ−タ−シ−トからこれを剥がす為の摘み片を突設し、この摘み片を摘んで引っ張るとアプリケ−タ−シ−トが容易に引き剥がすことができた。
【０００５】
しかし、このアプリケ−タ−シ−トの摘み片を普通に貼付材の隅部から突出するように形成すると、貼付される柔軟性シ−トの隅部が角形状になってしまい、アプリケ−タ−シ−トを剥ぎ取った後に貼付されているこの柔軟性シ−トは、衣服などによってその表面が擦られたりすると、隅部の角形状の部分から容易に剥がれるようになってしまい、好ましくないことが判った。
【０００６】
こうしたことから、本発明は、回曲部などの患部に貼付けた貼付材の柔軟性シ−トからアプリケ−タ−シ−トを容易に剥がせるような摘み片を形成すると共に、アプリケ−タ−シ−トを除いた後に貼付されている柔軟性シ−トが容易に剥れることがないようにしようとするものである。
【０００７】
【課題を解決するための手段】
本発明は、柔軟性の基材シ−トの一面に設けた粘着剤層を剥離紙で覆うと共に、基材シ−トの他面に、基材シ−トよりも剛性に富んだアプリケ−タ−シ−トを仮着し、このアプリケ−タ−シ−トには上記基材シ−トより外方へ突出するようなタブを設けている。
このタブは、上記基材シ−トの上部から弧を描いて少し内方に入り、次に弧を描きながら反転して基材シ−トの上部と並行状態に立上がり、次いでその頂部から斜下方に延びて上記基材シ−トの上縁部に至る外形状を有している。
【０００８】
このタブを摘んで斜下方に向って引張るようにすれば、アプリケ−タ−シ−トは基材シ−トからすぐに剥れ始め、全体をスム−ズに取除くことができる。また、アプリケ−タ−シ−トが剥ぎ取られた基材シ−トの隅部も弧状になっているので、基材シ−トはこの隅部からも剥がれ難い。
【０００９】
【発明の実施の形態】
基材シ−ト１は、ウレタンフイルムその他の低モジュラス、高伸縮性の薄膜フイルム材料で形成され、その一面にアクリル系、ゴム系、シリコン系などの粘着剤層２を設ける。この粘着剤層２は、表面をシリコン処理した紙、プラスチックフイルムなどの剥離紙３によって保護するように覆われている。
上記基材シ−ト１の他面には、ポリエチレン、ポリプロピレン、エチレン・酢酸ビニル共重合体その他のフイルム材料で、基材シ−ト１よりも剛性に富んでいて、これを定形状態に維持することができるアプリケ−タ−シ−ト４を仮着している。
【００１０】
このアプリケ−タ−シ−ト４には、上記基材シ−ト１より外方へ突出するようなタブ５を形成しており、このタブ５は、基材シ−ト１の上部６から弧を描いて少し内方に入る傾斜部７から、弧状部８を経て方向を変える反転部９より上記基材シ−ト１の上部６と実質的に並行状態となっている立上り部１０につながり、この立上り部１０の頂部１１から、更にこれが斜下方に延びて基材シ−ト１の上縁部１５に至る斜部１２によって形成されている。
【００１１】
図示するものは、約１５ｃｍ平方の略正方形の薄いポリウレタン製の基材シ−ト１に、その一面に設けたアクリル系粘着剤層２の上面を２枚の剥離紙３１、３２を打合せ１６にして覆っている。また、基材シ−ト１の他面を覆うアプリケ−タ−シ−ト４は２枚構成になっており、上記基材シ−ト１の全面を覆うポリエチレン製の本体アプリケ−タ−シ−ト４１と、その上に一部重なり合い基材シ−ト１より外方へ突出している紙製またはプラスチック製の上部アプリケ−タ−シ−ト４２が粘着剤４３で貼着されて形成されている。
【００１２】
上部アプリケ−タ−シ−ト４２の基材シ−ト１より上方に突出している部分に、上記タブ５を形成している。図示のタブにおいては、基材シ−ト１の上部６に形成した傾斜部７に続いて半径４ｍｍの弧状部８があり、これが半径２．５ｍｍ反転部９を経て立上り部１０になっている。この立上り部１０は基材シ−ト１の上部６と並行状態にあり、基材シ−ト上部６より約１ｃｍ程度内側に位置している。上記立上り部１０の頂部１１は横方向に延びて約１ｃｍ程度の長さがあり、そこから傾斜状の斜部１２となって、基材シ−ト１の上縁部１５に達するようになっている。
【００１３】
上記タブ５は、下記するように患部の回曲部や屈曲部に貼付したときに、この回曲部や屈曲部の弧状面の影響を受けて曲げられたりすることがなく、ほぼ平坦な状態を保っておくことが出来るように余り大きくないものが好ましい。胸部や腹部の全面に貼付するような医療用のドレ−プのように基材シ−トが大きくなれば、このタブの大きさもこれに応じて大きくされる。
こうしたタブは、例えば、その横幅が基材シ−トの上縁部に対して約２／５程度以下となるようにすると好ましいことが多い。
【００１４】
上記タブ５は、上記したように貼付材に少くとも１つ形成すればよいが、図示したものでは、上記タブ５と対称形状のタブ５１を上部アプリケ−タ−シ−ト４２の対称位置にも形成していて、このタブ５１を持ってアプリケ−タ−シ−トを剥すこともできる。
【００１５】
このような貼付材１３は、上記剥離紙３を剥して粘着剤層２を露出させると、基材シ−ト１はアプリケ−タ−シ−ト４と一体的になっているので、これを治療の終った患部２０に確実に貼付けることができる。図示するものでは、先ず、上部剥離紙３１を剥して患部２０に貼付して固定し、その後で下部剥離紙３２を剥しながら貼付けるようにするとよい（図５）。貼付けが終ったら必要により上から軽く押えるようにして、貼付け状態を更に確実にすることができる。
【００１６】
そして、上記タブ５は、患部の回曲部や屈曲部においても曲げられたりすることがないので指で摘み易く、指で摘んで基材シ−トの斜下方向に向って引張るようにすると、その引張り作用は上記タブ５の反転部９に集中して、柔軟性基材シ−ト１を患部２０から剥すようなこともなく、仮着されているアプリケ−タ−シ−ト４をスム−ズかつ確実に剥し去ることができる。特に患部が回曲部であったり、屈曲部のような場合にも、アプリケ−タ−シ−トの容易な引剥しが可能である（図６）。
【００１７】
そして、アプリケ−タ−シ−トが引き剥され、患部に貼付されている柔軟性基材シ−ト１の隅部は弧状になっているので、衣服などによってその表面が擦られたりしても容易に剥がれるようなことは無く、貼付状態を確実に維持して充分に患部を保護することが出来る。
また、図示するものではタブ５とタブ５１が対称位置に設けられているので、貼付した患部の場合によっていずれかのタブを使用することができて都合が良い。
【００１８】
図７に示すものは、上記した上記タブ５とタブ５１の中間部分に山形状の中間タブ５２を設けたものであり、貼付する患部の位置によっては必要に応じてこの中間タブ５２を摘んでアプリケ−タ−シ−トを引剥すことができる。
また、図８に示すものは、アプリケ−タ−シ−ト４にタブ５を１つだけ設けたものである。
【００１９】
こうしたタブ５は基材シ−ト１の上部だけでなく下部にも形成することができる。図９に示すものは図８に示すものの斜下方に対称状のタブ５３を形成しており、図１０のものは上記図１〜図６のものと上下対称にタブ５４、タブ５５を形成しているものである。図１１には、上記図７に示した上記タブ５、タブ５１、中間タブ５２と上下対称のタブ５６、タブ５７、中間タブ５８を形成したものを示している。
こうした貼付材では、上下いずれの方向からもタブをつまんでアプリケ−タ−シ−トを剥すようにすることが可能で、使い勝手が更によい。
【００２０】
図１２に示すものは、タブ５の頂部１１がやや大きな弧を描いているもので、この大きな弧が斜部１２ａに続いているものであり、図１３のものは小さな弧状の頂部１１からすぐに直線状の斜部１２ｂに至って、比較的小さなタブを形成しているものである。
尚、本発明において、上下、左右の語を使用しているが、これは相対的な位置関係を判り易く説明する為に用いているものであって、絶対的な位置を示すものでないことは勿論である。
【００２１】
【発明の効果】
本発明は上記したように、アプリケ−タ−シ−トに突出状態に設けたタブを一定の形状と大きさにしているので、患部の回曲部や屈曲部に貼付した場合にもタブが平坦状に保たれていて摘みやすく、このタブを摘んで引張ると、その引張り作用はタブの反転部に集中し、この部分からアプリケ−タ−シ−トを柔軟性の基材シ−トより剥し始めるので、基材シ−トを無理に引張ったりすることもなく、スム−ズかつ確実に引剥すことができる。また、患部に貼付されている柔軟性基材シ−トはその隅部が弧状になっているので容易に剥がされることが少なく、患部の保護を安定的に充分に行うことができる。
【図面の簡単な説明】
【図１】本発明の実施例を示す斜視図である。
【図２】図１に示すものの平面図である。
【図３】図１に示すものの断面図である。
【図４】図３に示すものの一部を拡大した詳細を示す断面図である。
【図５】図１に示すものの貼付状態を示す説明図である。
【図６】図５に示すものの後でアプリケ−タ−シ−トを剥がす状態を示す説明図である。
【図７】本発明の他の実施例を示す平面図である。
【図８】本発明の更に他の実施例を示す平面図である。
【図９】本発明の他の例を示す平面図である。
【図１０】本発明の更に他の例を示す平面図である。
【図１１】本発明の他例の平面図である。
【図１２】本発明の更に他例の一部省略平面図である。
【図１３】本発明の更に他の例の一部省略平面図である。
【符号の説明】
１      基材シ−ト
２      粘着剤層
３      剥離紙
４      アプリケ−タ−シ−ト
５      タブ
６      基材シ−トの上部
７      傾斜部
８      タブの弧状部
９      タブの反転部
１０    タブの立上り部
１１    タブの頂部
１２    タブの斜部
１３    貼付材
１５    基材シ−トの上縁部
２０    患部
３１、３２    剥離紙
５１、５３、５４、５５、５６、５７    タブ
５２、５８    中間タブ
【図１】
0003567432.tif 000002
【図２】
0003567432.tif 000003
【図３】
0003567432.tif 000004
【図４】
0003567432.tif 000005
【図５】
0003567432.tif 000006
【図６】
0003567432.tif 000007
【図７】
0003567432.tif 000008
【図８】
0003567432.tif 000009
【図９】
0003567432.tif 000010
【図１０】
0003567432.tif 000011
【図１１】
0003567432.tif 000012
【図１２】
0003567432.tif 000013
【図１３】
0003567432.tif 000014